(57)【要約】【課題】消費電力を抑えつつアクセスポイント機能を実行すること。【解決手段】携帯電話機１は、デジタルカメラ５とネットワークとの間で伝送されるデータを中継する中継部１６と、移動体通信網２の基地局２ａからの信号の受信状況に基づいて導出された該移動体通信網２における在圏状態と、無線ＬＡＮ３の基地局３ａからの信号の受信状況に基づいて導出された該無線ＬＡＮ３における在圏状態とに基づいて、中継部１６の稼働状態を変更する中継制御部１７と、を備える。【選択図】図１
2010114744.tif 000002
【特許請求の範囲】
【請求項１】
他の通信端末とネットワークとの間で伝送されるデータを中継する中継手段と、
移動体通信網の基地局からの信号の受信状況に基づいて導出された該移動体通信網における在圏状態と、該移動体通信網とは異なる無線通信網の基地局からの信号の受信状況に基づいて導出された該無線通信網における在圏状態とに基づいて、前記中継手段の稼働状態を変更する変更手段と、
を備える移動端末。
【請求項２】
前記無線通信網を特定する識別子を記憶する記憶手段を更に備え、
前記変更手段が、前記移動体通信網の圏内に位置し、前記無線通信網の圏内に位置し、且つ該無線通信網からの信号に含まれる該無線通信網の識別子が前記記憶手段に記憶されていない場合に、前記中継手段を起動する、
請求項１に記載の移動端末。
【請求項３】
他の通信端末とネットワークとの間で伝送されるデータを中継する中継手段を備える移動端末における通信制御方法であって、
前記移動体通信網からの信号の受信状況に基づいて導出された該移動体通信網における在圏状態と、該移動体通信網とは異なる無線通信網からの信号の受信状況に基づいて導出された該無線通信網における在圏状態とに基づいて、前記中継手段の稼働状態を変更する変更ステップ
を含む通信制御方法。
【発明の詳細な説明】
【技術分野】
【０００１】
本発明は、データ中継機能を有する移動端末及びその通信制御方法に関する。
【背景技術】
【０００２】
一般的な無線ＬＡＮ通信においては、公共施設や自宅に設置されたアクセスポイントとネットワークとがブロードバンド回線により接続され、無線ＬＡＮ機能を搭載した通信端末とアクセスポイントとの間にセッションが張られることで、通信端末はネットワークと通信することができる。無線ＬＡＮ機能を備える通信端末としては、パーソナルコンピュータやゲーム機、携帯電話機などがある。例えば、下記特許文献１には、消費電力を低く抑えつつ迅速にアクセスポイントを検索できる無線通信装置（携帯電話機）が記載されている。この無線通信装置は、アクセスポイントへのアクセス開始を制御するためのアクセス補助情報に対応する特定のアクセスポイントにのみアクセスを試みるとともに、アクセスポイントとの通信に利用するローカル無線送受信処理部の起動制御を実行する。
【特許文献１】特開２００８−６０７４２号公報
【発明の開示】
【発明が解決しようとする課題】
【０００３】
アクセスポイントの機能を携帯電話機などの移動端末に搭載することで、自宅無線ＬＡＮや公共無線ＬＡＮが存在しない場所でも通信端末がその移動端末を介してネットワークと通信することが可能になる。しかし、アクセスポイントになった移動端末は通信に必要な情報をビーコン信号として送出し続ける必要があるので、移動端末の消費電力が増大してしまう。従来のアクセスポイントは固定設置であるので特別な省電力対策は必要ないが、バッテリで稼働する移動端末では消費電力を抑えることが好ましい。
【０００４】
本発明は、上記課題を解決するためになされたものであり、消費電力を抑えつつアクセスポイント機能を実行することが可能な移動端末及び通信制御方法を提供することを目的とする。
【課題を解決するための手段】
【０００５】
本発明の移動端末は、他の通信端末とネットワークとの間で伝送されるデータを中継する中継手段と、移動体通信網の基地局からの信号の受信状況に基づいて導出された該移動体通信網における在圏状態と、該移動体通信網とは異なる無線通信網の基地局からの信号の受信状況に基づいて導出された該無線通信網における在圏状態とに基づいて、中継手段の稼働状態を変更する変更手段と、を備える。
【０００６】
また、本発明の通信制御方法は、他の通信端末とネットワークとの間で伝送されるデータを中継する中継手段を備える移動端末における通信制御方法であって、移動体通信網からの信号の受信状況に基づいて導出された該移動体通信網における在圏状態と、該移動体通信網とは異なる無線通信網からの信号の受信状況に基づいて導出された該無線通信網における在圏状態とに基づいて、中継手段の稼働状態を変更する変更ステップを含む。
【０００７】
このような移動端末及び通信制御方法によれば、移動体通信網及び無線通信網のそれぞれにおける移動端末の在圏状態に基づいて、アクセスポイントとして機能する中継手段の稼働状態が変更されるので、消費電力を抑えつつアクセスポイント機能を実行することが可能になる。
【０００８】
本発明の移動端末では、無線通信網を特定する識別子を記憶する記憶手段を更に備え、変更手段が、移動体通信網の圏内に位置し、無線通信網の圏内に位置し、且つ該無線通信網からの信号に含まれる該無線通信網の識別子が記憶手段に記憶されていない場合に、中継手段を起動することが好ましい。
【０００９】
この場合、移動端末が移動体通信網と無線通信網の双方の圏内に位置し、且つ無線通信網の基地局の識別子が移動端末内に記憶されていない場合に、中継手段が起動される。これにより、他の通信端末が無線通信網を経由してネットワークに接続できない場合に中継手段が起動されるので、中継手段の稼働時間が低減される。その結果、移動端末の消費電力を抑えることができる。
【発明の効果】
【００１０】
このような移動端末及び通信制御方法によれば、移動体通信網及び無線通信網のそれぞれにおける移動端末の在圏状態に基づいて、アクセスポイントとして機能する中継手段の稼働状態が変更されるので、消費電力を抑えつつアクセスポイント機能を実行できる。
【発明を実施するための最良の形態】
【００１１】
以下、添付図面を参照しながら本発明の実施形態を詳細に説明する。本実施形態では、本発明に係る移動端末を携帯電話機に適用する。なお、図面の説明において同一又は同等の要素には同一の符号を付し、重複する説明を省略する。
【００１２】
まず、図１〜４を用いて、実施形態に係る携帯電話機の構成及び機能を説明する。図１は携帯電話機の機能構成を示す図である。図２は携帯電話機のハードウェア構成を示す図である。図３は通信エリアと携帯電話機及びデジタルカメラの位置との関係の例を示す図である。図４は携帯電話機及びデジタルカメラが記憶するサービスセット識別子（Service Set Identifier、以下「ＳＳＩＤ」という）の例を示す図である。
【００１３】
図１に示すように、携帯電話機１は、移動体通信網２を構成する基地局２ａとの間で信号を送受信することで移動体通信網２と通信することが可能である。また、携帯電話機１は無線ＬＡＮ３を構成する基地局３ａとの間で信号を送受信することで無線ＬＡＮ３と通信することも可能である。ここで、無線ＬＡＮ３は移動体通信網２とは異なる通信網である。移動体通信網２及び無線ＬＡＮ３はそれぞれ基幹ネットワーク４と接続している。
【００１４】
携帯電話機１は、デジタルカメラ（他の通信端末）５とネットワークとの間で伝送されるデータを中継するアクセスポイント機能を備えている。デジタルカメラ５は無線ＬＡＮ機能を搭載している。
【００１５】
携帯電話機１は、機能的構成要素として第１受信部１１、第１判定部１２、ＳＳＩＤリスト記憶部（記憶手段）１３、第２受信部１４、第２判定部１５、中継部（中継手段）１６、及び中継制御部（変更手段）１７を備えている。
【００１６】
図２に示すように、携帯電話機１は、オペレーティングシステムやアプリケーションプログラムなどを実行するＣＰＵ１０１と、ＲＯＭ及びＲＡＭで構成される主記憶部１０２と、メモリなどで構成される補助記憶部１０３と、移動体通信網２又は無線ＬＡＮ３を介してデータ通信を行う通信制御部１０４と、液晶モニタなどで構成される表示部１０５と、入力キーなどで構成される操作部１０６とで構成される。図１に示す各機能は、ＣＰＵ１０１及び主記憶部１０２の上に所定のソフトウェアを読み込ませ、ＣＰＵ１０１の制御の下で通信制御部１０４を動作させたり、主記憶部１０２や補助記憶部１０３に対してデータを読み書きしたりすることで実現される。
【００１７】
図１に戻って、第１受信部１１は、移動体通信網２の基地局２ａからの報知情報（信号）を受信する部分である。第１受信部１１は受信した報知情報を第１判定部１２に出力する。
【００１８】
第１判定部１２は、移動体通信網２の基地局２ａからの信号の受信状況に基づいて、移動体通信網２における携帯電話機１の在圏状態を判定する部分である。例えば、第１判定部１２は、第１受信部１１が報知情報を受信した場合には携帯電話機１が移動体通信網２の圏内に存在すると判定し、そうでない場合には携帯電話機１は移動体通信網２の圏外に存在すると判定する。第１判定部１２は判定結果を第１在圏情報として中継制御部１７に出力する。第１在圏情報は、携帯電話機１が移動体通信網２に在圏しているか否かを示す情報であり、上述したように、移動体通信網２の基地局２ａからの報知情報の受信状況に基づいて導出される。
【００１９】
ＳＳＩＤリスト記憶部１３は、無線通信網を特定するＳＳＩＤ（識別子）を記憶する部分である。ＳＳＩＤリスト記憶部１３は、携帯電話機１よりも優先して接続及びデータ中継を行う無線ＬＡＮのＳＳＩＤを記憶する。ＳＳＩＤリスト記憶部１３は、デジタルカメラ５から受信したＳＳＩＤリストを記憶してもよいし、ユーザにより入力されたＳＳＩＤを記憶してもよい。
【００２０】
第２受信部１４は、無線ＬＡＮ３の基地局３ａからのビーコン（信号）を受信する部分である。基地局３ａから送信されるビーコンはＳＳＩＤを含んでいる。第２受信部１４は受信したビーコンを第２判定部１５に出力する。
【００２１】
第２判定部１５は、無線ＬＡＮ３の基地局３ａからの信号の受信状況に基づいて、無線ＬＡＮ３における携帯電話機１の在圏状態を判定する部分である。例えば、第２判定部１５は、第２受信部１４がビーコンを受信した場合には携帯電話機１が無線ＬＡＮ３の圏内に存在すると判定し、そうでない場合には携帯電話機１は無線ＬＡＮ３の圏外に存在すると判定する。そして、第２判定部１５は判定結果を第２在圏情報として中継制御部１７に出力する。第２在圏情報は、携帯電話機１が無線ＬＡＮ３に在圏しているか否かを示す情報であり、上述したように、無線ＬＡＮ３の基地局３ａからのビーコンの受信状況に基づいて導出される。
【００２２】
また、第２判定部１５は、受信したビーコンからＳＳＩＤを抽出し、そのＳＳＩＤがＳＳＩＤリスト記憶部１３に記憶されているか否かを検査する。そして、第２判定部１５は検査結果をＳＳＩＤ情報として中継制御部１７に出力する。ＳＳＩＤ情報は、受信したビーコンの送信元である無線ＬＡＮ３のＳＳＩＤがＳＳＩＤリスト記憶部１３に記憶されているか否かを示す情報である。
【００２３】
中継部１６は、デジタルカメラ（他の通信端末）５とネットワークとの間で伝送されるデータを中継する部分である。中継部１６は、後述する中継制御部１７から入力された制御信号に応じてビーコンの送信を開始又は終了する。中継部１６が送信するビーコンは携帯電話機１のＳＳＩＤを含んでいる。ビーコンの送信により携帯電話機１とデジタルカメラ５とが接続すると、中継部１６は、デジタルカメラ５と移動体通信網２との間で伝送されるデータや、デジタルカメラ５と基幹ネットワーク４との間で伝送されるデータなどを中継することが可能になる。このとき、携帯電話機１はアクセスポイントとして機能する。
【００２４】
中継制御部１７は、移動体通信網２における在圏状態と無線ＬＡＮにおける在圏状態とに基づいて中継部１６の稼働状態を変更する部分である。中継制御部１７は、第１在圏情報、第２在圏情報及びＳＳＩＤ情報に基づいて中継部１６を制御する。
【００２５】
図３及び４を用いて、中継制御部１７の処理を具体的に説明する。図３には、移動体通信網のエリアＭＡ、無線ＬＡＮ−ＡのエリアＮＡ１、無線ＬＡＮ−ＢのエリアＮＡ２、及び無線ＬＡＮ−ＣのエリアＮＡ３が示されている。エリアＭＡは、エリアＮＡ１の一部、エリアＮＡ２の全体、及びエリアＮＡ３の全体を含んでいる。無線ＬＡＮ−Ａ、無線ＬＡＮ−Ｂ及び無線ＬＡＮ−ＣのＳＳＩＤは、それぞれ「１２１２１２」、「５６５６５６」、「３４３４３４」であるとする。また、携帯電話機１のＳＳＩＤは「７８７８７８」であるとする。
【００２６】
また、携帯電話機１のＳＳＩＤリスト記憶部１３は、無線ＬＡＮ−ＡのＳＳＩＤ「１２１２１２」及び無線ＬＡＮ−ＢのＳＳＩＤ「５６５６５６」を記憶しているものとする（図４（ａ）参照）。一方、デジタルカメラ５は、無線ＬＡＮ−ＡのＳＳＩＤ「１２１２１２」、無線ＬＡＮ−ＢのＳＳＩＤ「５６５６５６」及び携帯電話機のＳＳＩＤ「７８７８７８」を記憶しているものとする（図４（ｂ）参照）。
【００２７】
まず、携帯電話機１及びデジタルカメラ５が地点Ｐ１に位置しているときの処理を説明する。この場合、中継制御部１７は、移動体通信網の圏外であることを示す第１在圏情報と、無線ＬＡＮの圏外である（三つの無線ＬＡＮエリアのいずれにも位置していない）ことを示す第２在圏情報とに基づいて、中継部１６を停止すると決定する。そして、中継制御部１７は、中継部１６にビーコンを送信させないための制御信号を生成して中継部１６に出力する。これにより、中継部１６はビーコンの送信を停止するか、または停止状態を維持する。その結果、携帯電話機１のアクセスポイント機能は停止し、デジタルカメラ５はネットワーク接続できない。
【００２８】
携帯電話機１及びデジタルカメラ５が地点Ｐ２に位置している場合には、中継制御部１７は、エリアＭＡ内であることを示す第１在圏情報と、無線ＬＡＮの圏外であることを示す第２在圏情報とに基づいて、中継部１６を起動すると決定する。そして、中継制御部１７は、中継部１６にビーコンを送信させるための制御信号を生成して中継部１６に出力する。これにより、中継部１６はビーコンの送信を開始する。その結果、携帯電話機１のアクセスポイント機能が起動し、デジタルカメラ５はネットワークに接続可能となる。
【００２９】
携帯電話機１及びデジタルカメラ５が地点Ｐ３に位置している場合には、中継制御部１７はエリアＭＡ内であることを示す第１在圏情報と、エリアＮＡ１内であることを示す第２在圏情報と、無線ＬＡＮ−ＡのＳＳＩＤ「１２１２１２」がＳＳＩＤリスト記憶部１３に記憶されていることを示すＳＳＩＤ情報とに基づいて、中継部１６を停止すると決定する。この場合、デジタルカメラ５は携帯電話機１経由ではネットワークに接続できないが、自機内に無線ＬＡＮ−ＡのＳＳＩＤを記憶しているので、無線ＬＡＮ−Ａ経由でネットワークに接続できる。
【００３０】
携帯電話機１及びデジタルカメラ５が地点Ｐ４に位置している場合には、中継制御部１７は、移動体通信網の圏外であることを示す第１在圏情報と、エリアＮＡ１内であることを示す第２在圏情報と、無線ＬＡＮ−ＡのＳＳＩＤ「１２１２１２」がＳＳＩＤリスト記憶部１３に記憶されていることを示すＳＳＩＤ情報とに基づいて、中継部１６を停止すると決定する。この場合、デジタルカメラ５は、地点Ｐ３に位置している場合と同様に無線ＬＡＮ−Ａ経由でネットワークに接続できる。
【００３１】
携帯電話機１及びデジタルカメラ５が地点Ｐ５に位置している場合には、中継制御部１７は、エリアＭＡ内であることを示す第１在圏情報と、エリアＮＡ２内であることを示す第２在圏情報と、無線ＬＡＮ−ＢのＳＳＩＤ「５６５６５６」がＳＳＩＤリスト記憶部１３に記憶されていることを示すＳＳＩＤ情報とに基づいて、中継部１６を停止すると決定する。この場合、デジタルカメラ５は携帯電話機１経由ではネットワークに接続できないが、自機内に無線ＬＡＮ−ＢのＳＳＩＤを記憶しているので、無線ＬＡＮ−Ｂ経由でネットワークに接続できる。
【００３２】
携帯電話機１及びデジタルカメラ５が地点Ｐ６に位置している場合には、中継制御部１７は、エリアＭＡ内であることを示す第１在圏情報と、エリアＮＡ３内であることを示す第２在圏情報と、無線ＬＡＮ−ＣのＳＳＩＤ「３４３４３４」がＳＳＩＤリスト記憶部１３に記憶されていないことを示すＳＳＩＤ情報とに基づいて、中継部１６を起動すると決定する。この場合、携帯電話機１のアクセスポイント機能が起動するので、デジタルカメラ５は携帯電話機１経由でネットワークに接続可能となる。
【００３３】
上述した六つの例は下記（ａ）〜（ｄ）のようにまとめられる。
【００３４】
（ａ）移動体通信網の圏外に位置する場合には、中継制御部１７は中継部１６を停止する（地点Ｐ１，Ｐ４の例を参照）。これにより、携帯電話機１を経由してのネットワーク接続が期待できない場合の、不必要なビーコンの送出及びそれに伴う電力消費を回避できる。
【００３５】
（ｂ）移動体通信網の圏内に位置し、且つ無線ＬＡＮの圏外に位置する場合には、中継制御部１７は中継部１６を起動する（地点Ｐ２の例を参照）。これにより、デジタルカメラ５が無線ＬＡＮ３を経由してネットワークに接続できない場合に中継部１６が起動されるので、中継手段の稼働時間が低減される。その結果、移動端末の消費電力を抑えることができる。
【００３６】
（ｃ）移動体通信網の圏内に位置し、無線ＬＡＮの圏内に位置し、且つその無線ＬＡＮのＳＳＩＤがＳＳＩＤリスト記憶部１３に記憶されている場合には、中継制御部１７は中継部１６を停止する（地点Ｐ３，Ｐ５の例を参照）。これにより、携帯電話機１を利用しなくても無線ＬＡＮ３経由でネットワーク接続ができる場合、あるいは無線ＬＡＮを優先して利用する場合の、不必要なビーコンの送出及びそれに伴う電力消費を回避できる。
【００３７】
（ｄ）移動体通信網の圏内に位置し、無線ＬＡＮの圏内に位置し、且つその無線ＬＡＮのＳＳＩＤがＳＳＩＤリスト記憶部１３に記憶されていない場合には、中継制御部１７は中継部１６を起動する（地点Ｐ６の例を参照）。これにより、デジタルカメラ５が無線ＬＡＮ３を経由してネットワークに接続できない場合に中継部１６が起動されるので、中継手段の稼働時間が低減される。その結果、移動端末の消費電力を抑えることができる。
【００３８】
次に、図５及び６を用いて、図１に示す携帯電話機１の動作を説明するとともに本実施形態に係る通信制御方法について説明する。図５は携帯電話機１の動作を示すフローチャートである。図６は図５における稼働状態変更処理の詳細を示すフローチャートである。
【００３９】
まず、第１判定部１２が、第１受信部１１における報知情報の受信状況に基づいて移動体通信網２における在圏状態を導出し、その結果を第１在圏情報として中継制御部１７に出力する（ステップＳ１）。続いて、第２判定部１５が、第２受信部１４におけるビーコンの受信状況に基づいて無線ＬＡＮ３における在圏状態を導出し、その結果を第２在圏情報として中継制御部１７に出力する（ステップＳ２）。続いて、第２判定部１５が、受信したビーコンからＳＳＩＤを抽出し、そのＳＳＩＤがＳＳＩＤリスト記憶部１３に記憶されているか否かを検査する（ステップＳ３）。第２判定部１５は、検査結果をＳＳＩＤ情報として中継制御部１７に出力する。続いて、中継制御部１７が、移動体通信網２における在圏状態（第１在圏情報）と、無線ＬＡＮ３における在圏状態（第２在圏情報）と、ＳＳＩＤの有無（ＳＳＩＤ情報）とに基づいて中継部１６の稼働状態を変更する（ステップＳ４、変更ステップ）。
【００４０】
具体的には、図６に示すように、携帯電話機１が移動体通信網２の圏内に位置し（ステップＳ４１；ＹＥＳ）、且つ無線ＬＡＮ３の圏外に位置する場合には（ステップＳ４２；ＮＯ）、中継制御部１７は中継部１６を起動する（ステップＳ４３）。
【００４１】
携帯電話機１が移動体通信網２の圏内に位置し（ステップＳ４１；ＹＥＳ）、且つ無線ＬＡＮ３の圏内に位置するならば（ステップＳ４２；ＹＥＳ）、中継制御部１７は無線ＬＡＮ３のＳＳＩＤがＳＳＩＤリスト記憶部１３に記憶されているか否かを判定する（ステップＳ４４）。そして、受信したＳＳＩＤが記憶されていなければ（ステップＳ４４；ＮＯ）、中継制御部１７は中継部１６を起動する（ステップＳ４３）。一方、受信したＳＳＩＤが記憶されていれば（ステップＳ４４；ＹＥＳ）、中継制御部１７は中継部１６を停止する（ステップＳ４５）。
【００４２】
携帯電話機１が移動体通信網の圏外に位置している場合には（ステップＳ４１；ＮＯ）、中継制御部１７は中継部１６を停止する（ステップＳ４６）。
【００４３】
以上説明したように、本実施形態によれば、移動体通信網２及び無線ＬＡＮ３のそれぞれにおける携帯電話機１の在圏状態に基づいて、アクセスポイントとして機能する中継部１６の稼働状態が変更されるので、携帯電話機１の消費電力を抑えつつアクセスポイント機能を実行することが可能になる。また、本実施形態によれば、アクセスポイント機能が自動的に起動又は停止されるので、利便性が向上する。
【００４４】
以上、本発明をその実施形態に基づいて詳細に説明した。しかし、本発明は上記実施形態に限定されるものではない。本発明は、その要旨を逸脱しない範囲で以下のような様々な変形が可能である。
【００４５】
上記実施形態では、携帯電話機１が無線ＬＡＮ３の在圏状況を判定したが、デジタルカメラ５が無線ＬＡＮ３における在圏状況を判定し、その判定結果（上記実施形態における第２在圏情報に相当）を携帯電話機１に通知してもよい。これにより、移動端末では無線通信網における在圏状況の判定が不要になるので、移動端末に掛かる負荷を低減できる。
【００４６】
上記実施形態では、第２判定部１５がビーコンに含まれるＳＳＩＤの記憶状況を判定したが、移動端末はＳＳＩＤを無視して中継手段の稼働状態を変更してもよい。例えば、移動端末は、移動体通信網の圏内に位置し、且つ無線通信網の圏外に位置する場合に中継手段を起動させ、それ以外の場合には中継手段を停止させてもよい。この場合、移動端末は上記ＳＳＩＤリスト記憶部１３に相当する構成要素を備える必要がない。
【００４７】
上記実施形態では、無線通信網として無線ＬＡＮ３を示したが、無線通信網の種類は限定されない。例えばワイマックス（Worldwide Interoperability for Microwave Access；ＷｉＭＡＸ）を用いているシステムに本発明を適用することも可能である。また、移動体通信網の種類も限定されない。例えば、Ｗ−ＣＤＭＡ（WidebandCode Division Multiple Access）、ＣＤＭＡ−２０００あるいはＬＴＥ（Long Term Evolution）を用いたシステムなどに本発明を適用できる。
【００４８】
上記実施形態では、移動端末及び他の通信端末として携帯電話機１、デジタルカメラ５を例示したが、移動端末の種類、及び移動端末経由で通信する通信端末の種類は限定されない。例えば、携帯情報端末（Personal Digital Assistant；ＰＤＡ）を移動端末としたり、携帯ゲーム機や携帯音楽プレーヤを他の通信端末としたりすることが可能である。
【図面の簡単な説明】
【００４９】
【図１】実施形態に係る携帯電話機の機能構成を示す図である。
【図２】図１に示す携帯電話機のハードウェア構成を示す図である。
【図３】通信エリアと携帯電話機及びデジタルカメラの位置との関係の例を示す図である。
【図４】携帯電話機及びデジタルカメラが記憶するＳＳＩＤの例を示す図である。
【図５】図１に示す携帯電話機の動作を示すフローチャートである。
【図６】図５における稼働状態変更処理の詳細を示すフローチャートである。
【符号の説明】
【００５０】
１…携帯電話機（移動端末）、２…移動体通信網、２ａ…移動体通信網の基地局、３…無線ＬＡＮ（無線通信網）、３ａ…無線ＬＡＮの基地局、４…基幹ネットワーク、５…デジタルカメラ（他の通信端末）、１１…第１受信部、１２…第１判定部、１３…ＳＳＩＤリスト記憶部（記憶手段）、１４…第２受信部、１５…第２判定部、１６…中継部（中継手段）、１７…中継制御部（変更手段）。
【図１】
2010114744.tif 000003
【図２】
2010114744.tif 000004
【図３】
2010114744.tif 000005
【図４】
2010114744.tif 000006
【図５】
2010114744.tif 000007
【図６】
2010114744.tif 000008